(57)【要約】【課題】外部からの熱に対応した浴室換気乾燥暖房機を提供する。【解決手段】浴室換気乾燥暖房機１Ａは、樹脂材料で構成される本体シャーシ２１を有した本体部２と、本体シャーシ２１に被せられ、天井パネル１００に形成された開口部１０２に露出する不燃ケース３とを備え、本体シャーシ２１と不燃ケース３の間に、本体シャーシ２１に対する不燃ケースの外部からの熱の伝達が抑えられる所定の下限距離以上で、かつ、空気の対流の発生が抑えられる所定の上限距離以下の間隔を設けて対流抑制空間２８が形成される。【選択図】        図１
2010145040.tif 000002
【特許請求の範囲】
【請求項１】
樹脂材料で構成される本体シャーシを有した本体部と、
前記本体シャーシに被せられ、設置場所に形成された開口部に露出する金属ケースとを備え、
前記本体シャーシと前記金属ケースの間に、前記本体シャーシに対する前記金属ケースの外部からの熱の伝達が抑えられ、かつ、空気の対流の発生が抑えられる間隔を設けて対流抑制空間が形成された
ことを特徴とする設備機器。
【請求項２】
前記対流抑制空間は、前記本体シャーシと前記金属ケースの間に６ｍｍ〜１５ｍｍの間隔を設けて形成される
ことを特徴とする請求項１記載の設備機器。
【請求項３】
樹脂材料で構成される本体シャーシを有した本体部と、
前記本体シャーシに被せられ、設置場所に形成された開口部に露出する金属ケースと、
前記本体シャーシと前記金属ケースの間に形成される送風空間に送風を行う送風手段と
を備えたことを特徴とする設備機器。
【請求項４】
前記金属ケースと前記本体シャーシの何れか、または双方の温度を検知する温度検知手段と、
前記温度検知手段で検知される温度が所定の上限温度に達すると、前記送風手段で前記送風空間に送風を行う制御手段と
を備えたことを特徴とする請求項３記載の設備機器。
【請求項５】
前記送風手段は、
前記本体シャーシでファンケース部が形成されるファンと、
前記ファンケース部に形成された吹出口を開閉する送風切替手段とを備え、
前記制御手段は、前記温度検知手段で検知される温度が所定の上限温度に達すると、前記送風切替手段で前記吹出口を開き、前記ファンが駆動されることで吸い込まれる空気の一部を前記吹出口から前記送風空間に送風する
ことを特徴とする請求項４記載の設備機器。
【請求項６】
前記送風手段は、
前記本体シャーシでファンケース部が形成されるファンと、
前記ファンケース部に形成された吸気口を開閉する吸気口開閉手段と、
前記送風空間に配置される送風機とを備え、
前記制御手段は、前記温度検知手段で検知される温度が所定の上限温度に達すると、前記吸気口開閉手段で前記吸気口を開くと共に前記送風機を駆動し、前記送風機が駆動されることで前記ファンケース部から吸い込まれる空気を前記送風空間に送風する
ことを特徴とする請求項４記載の設備機器。
【発明の詳細な説明】
【技術分野】
【０００１】
本発明は、浴室等の室内の天井に設置される設備機器に関する。
【背景技術】
【０００２】
従来、建物の天井に設置される換気装置は、熱源を持たないため、樹脂製のケースで覆われている。一方、浴室の天井に設置される浴室換気乾燥暖房機は、熱源としてヒータを持つため金属ケースで覆われている（例えば、特許文献１参照）。これにより、装置内部からの熱に対応できるようにしている。
【０００３】
【特許文献１】特開２００４−１６２９５０号公報
【発明の開示】
【発明が解決しようとする課題】
【０００４】
従来の浴室換気乾燥暖房機は、自機の内部からの熱による外部への影響には対応している。一方、外部からの熱に対応するという課題がある。
【課題を解決するための手段】
【０００５】
上述した課題を解決するため、本発明は、樹脂材料で構成される本体シャーシを有した本体部と、本体シャーシに被せられ、設置場所に形成された開口部に露出する金属ケースとを備え、本体シャーシと金属ケースの間に、本体シャーシに対する金属ケースの外部からの熱の伝達が抑えられ、かつ、空気の対流の発生が抑えられる間隔を設けて対流抑制空間が形成された設備機器である。
【０００６】
本発明の設備機器では、外部から設備機器に加えられる熱は、本体部を覆う金属ケースで受けられ、樹脂材料で構成される本体シャーシに直接熱が伝わらないようになっている。また、金属ケースと本体シャーシの間に形成される対流抑制空間によって、金属ケースから本体シャーシへの熱の伝達が抑えられる。
【０００７】
また、本発明は、樹脂材料で構成される本体シャーシを有した本体部と、本体シャーシに被せられ、設置場所に形成された開口部に露出する金属ケースと、本体シャーシと金属ケースの間に形成される送風空間に送風を行う送風手段とを備えた設備機器である。
【０００８】
本発明の設備機器では、外部から設備機器に加えられる熱は、本体部を覆う金属ケースで受けられ、樹脂材料で構成される本体シャーシに直接熱が伝わらないようになっている。また、金属ケースと本体シャーシの間に形成される送風空間に送風されることで、本体シャーシの温度上昇が抑えられる。
【発明の効果】
【０００９】
本発明の設備機器によれば、金属ケースで覆われた本体部に対する熱の伝達が抑えられ、外部からの熱に対応することができる。
【発明を実施するための最良の形態】
【００１０】
以下、図面を参照して本発明の設備機器の実施の形態としての空調装置の一例である浴室換気乾燥暖房機について説明する。
【００１１】
＜第１の実施の形態の浴室換気乾燥暖房機の構成例＞
図１は、第１の実施の形態の浴室換気乾燥暖房機の一例を示す断面図である。第１の実施の形態の浴室換気乾燥暖房機１Ａは、本体部２と、本体部２を覆う不燃ケース３を備える。本体部２は、ファンモータ２０Ｍに回転駆動されるファン２０Ｆと、ヒータ２０Ｈと、ファンケースを構成する本体シャーシ２１を備える。
【００１２】
本体部２は、ファン２０Ｆの軸方向に沿った下側が開口して吸込口２２ａが形成される。また、本体部２は、ファン２０Ｆによる空気の吹出方向に沿った下側に吹出口２２ｂが形成され、ファン２０Ｆによる空気の吹出方向に沿った側面に排気口２２ｃが形成される。
【００１３】
更に、本体部２は、吹出口２２ｂと排気口２２ｃとの間で風路を切り替える風路切替ダンパ２３を備える。風路切替ダンパ２３は、後述するダンパモータの駆動力が伝達され、吹出口２２ｂと排気口２２ｃの開閉動作を行う。
【００１４】
浴室換気乾燥暖房機１Ａは、風路切替ダンパ２３の位置を、図１に実線で示すように排気口２２ｃを閉じる循環位置とすると、吹出口２２ｂが開いて、吸込口２２ａから吹出口２２ｂへ連通した循環風路が形成される。
【００１５】
また、浴室換気乾燥暖房機１Ａは、風路切替ダンパ２３の位置を、図１に一点鎖線で示すように吹出口２２ｂを閉じる換気位置とすると、排気口２２ｃが開いて、吸込口２２ａから排気口２２ｃへ連通した換気風路が形成される。
【００１６】
更に、浴室換気乾燥暖房機１Ａは、風路切替ダンパ２３の位置を、図１に二点鎖線で示す循環位置と換気位置の間の循環換気位置とすると、吹出口２２ｂと排気口２２ｃの双方が開いて、循環風路と換気風路の双方が形成される。
【００１７】
ヒータ２０Ｈは、例えばＰＴＣヒータが吹出口２２ｂに設けられる。風路切替ダンパ２３を循環位置または循環換気位置とし、ファンモータ２０Ｍが駆動されファン２０Ｆが回転されると共に、ヒータ２０Ｈに通電されると、ヒータ２０Ｈが加熱されることで吹出口２２ｂを通る空気が暖められ、吹出口２２ｂから温風が吹き出される。
【００１８】
なお、浴室換気乾燥暖房機１Ａの本体部２としては、循環ファンと換気ファンを別々に備えて循環風路と換気風路が独立した構成等でも良い。
【００１９】
本体シャーシ２１は、ファンモータ２０Ｍ、ファン２０Ｆ及びヒータ２０Ｈ等が取り付けられる空間が形成されるファンケース部２１ａと、ファンケース部２１ａの下部の周縁から外側に突出するフランジ部２４を備える。
【００２０】
本体シャーシ２１は、難燃性を有した樹脂材料、本例では本例ではＡＢＳ樹脂［アクリロニトリル（Acrylonitrile）、ブタジエン（Butadiene）、スチレン（Styrene）共重合合成樹脂］で構成され、ファンケース部２１ａがフランジ部２４の内周側の上面から突出する形態で一体に形成される。
【００２１】
フランジ部２４は、浴室換気乾燥暖房機１Ａを天井パネル１００に取り付けるためのネジ１０１が挿入される穴部が形成される。穴部は、ネジ１０１の軸部の径より大きく、頭部の径より小さい直径で開口する。
【００２２】
本体シャーシ２１は、不燃ケース３が固定される固定突起２５を備える。固定突起２５は、ファンケース部２１ａの上部及び側部に一体に設けられ、ネジ２６が締結される穴部が形成される。
【００２３】
本体シャーシ２１は、フランジ部２４の上面にアルミテープ２７が設けられる構成としても良い。アルミテープ２７は、浴室換気乾燥暖房機１Ａを天井パネル１００に形成された開口部１０２に取り付けたときに、開口部１０２に露出するフランジ部２４の上面の内周側に沿った所定の範囲に、全周にわたって貼り付けられる。また、浴室内の湯気等による湿気が天井裏に漏れることを防ぐため、アルミテープ２７の上面にスポンジ等によるパッキンが設けられる構成としても良い。
【００２４】
不燃ケース３は金属ケースの一例で、本体部２を構成する本体シャーシ２１に被せられる中空で下面が開口した略直方体形状の構造物が、金属の板材で構成される。不燃ケース３は、本体シャーシ２１に被せられると、下端部がフランジ部２４の内周側の上面に接触して、外側に突出させる形態でフランジ部２４を露出させると共に、フランジ部２４の上側で、ファンケース部２１ａの側部と上部の全体を覆う形状を有する。
【００２５】
不燃ケース３は、排気口２２ｃに合わせて開口が形成される。また、不燃ケース３は、本体シャーシ２１の固定突起２５に合わせて穴部が形成される。
【００２６】
浴室換気乾燥暖房機１Ａは、本体部２に不燃ケース３が被せられ、不燃ケース３の穴部に挿入されたネジ２６が、本体シャーシ２１の固定突起２５に締結される。
【００２７】
本体部２に不燃ケース３が被せられ、ネジ２６で固定されると、本体シャーシ２１のファンケース部２１ａを覆う不燃ケース３の下端部が、フランジ部２４の上面に接触する。
【００２８】
フランジ部２４の上面には、不燃ケース３の下端部が接触する位置を含めてアルミテープ２７が貼り付けられており、不燃ケース３の下端部とフランジ部２４の上面のアルミテープ２７の間に、不燃ケース３の内部の本体シャーシ２１が、外部からの熱に直接晒されるような隙間が形成されないように構成される。
【００２９】
浴室換気乾燥暖房機１Ａは、本体部２に不燃ケース３が被せられ、ネジ２６で固定されると、本体シャーシ２１と不燃ケース３との間に対流抑制空間２８が形成される。
【００３０】
対流抑制空間２８は、不燃ケース３の外部から熱が加わったときに、本体シャーシ２１に対する熱の伝達が抑えられるように、所定の下限距離以上の間隔を有する。また、不燃ケース３と本体シャーシ２１との間における空気の対流の発生が抑えられるように、所定の上限距離以下の間隔を有する。浴室換気乾燥暖房機１Ａでは、不燃ケース３の外部から熱が加わったときに、本体シャーシ２１が予め定められた時間内に所定の温度以上にならないように、対流抑制空間２８の下限距離と上限距離が決定され、本例では、対流抑制空間２８は約６ｍｍ〜約１５ｍｍに設定される。
【００３１】
浴室換気乾燥暖房機１Ａは、不燃ケース３の一の側面に、排気口２２ｃとつながるダクトジョイント４が取り付けられる。ダクトジョイント４は、金属の板材で構成される。
【００３２】
浴室換気乾燥暖房機１Ａは、本体部２の下部にフロントパネル５が取り付けられる。フロントパネル５は、吸込口２２ａの位置に合わせて吸込口グリル５０ａが形成されると共に、吹出口２２ｂの位置に合わせて吹出口グリル５０ｂが形成される。
【００３３】
浴室換気乾燥暖房機１Ａの設置例について説明すると、浴室換気乾燥暖房機１Ａは、浴室の天井パネル１００に形成された開口部１０２から、不燃ケース３で覆われた本体部２が天井裏に入れられる。天井パネル１００には、取付金具１０３が設置され、本体シャーシ２１のフランジ部２４の穴部に挿入されたネジ１０１が、フランジ部２４と取付金具１０３の間に天井パネル１００を挟んだ状態で、取付金具１０３に締結される。
【００３４】
これにより、浴室換気乾燥暖房機１Ａのフランジ部２４と取付金具１０３で天井パネル１００が挟持され、浴室換気乾燥暖房機１Ａが天井パネル１００に取り付けられる。天井パネル１００に取り付けられた浴室換気乾燥暖房機１Ａは、本体部２の下部にフロントパネル５が取り付けられる。
【００３５】
なお、天井パネル１００に取り付けられるフランジ部２４の上面にアルミテープ２７が貼り付ける構成であっても、アルミテープ２７は厚さが薄いので、天井パネル１００に対する本体部２の取り付け高さに影響を及ぼすことはない。
【００３６】
浴室換気乾燥暖房機１Ａの動作について説明すると、浴室換気乾燥暖房機１Ａは、ファンモータ２０Ｍが駆動されてファン２０Ｆが回転駆動されると、フロントパネル５の吸込口グリル５０ａを介して吸込口２２ａから浴室内の空気が吸い込まれる。
【００３７】
風路切替ダンパ２３の位置が図１に実線で示す循環位置であると、吸込口２２ａから吹出口２２ｂへの循環風路が形成されるので、吸込口２２ａから吸い込まれた空気は、循環風路を通り吹出口２２ｂからフロントパネル５の吹出口グリル５０ｂを介して浴室内に吹き出される。ヒータ２０Ｈは吹出口２２ｂに配置されるので、ヒータ２０Ｈに通電されることで、循環風路を通る空気が温められて、温風が吹出口グリル５０ｂから吹き出す。
【００３８】
これにより、風路切替ダンパ２３を循環位置として、ファンモータ２０が駆動されると、ヒータ２０Ｈに通電した場合は、浴室内の空気を循環させながら、浴室内に温風が吹き出される。ヒータ２０Ｈに非通電の場合は、浴室内の空気を循環させながら、室温に応じた涼風が浴室内に吹き出される。
【００３９】
風路切替ダンパ２３の位置が図１に一点鎖線で示す換気位置であると、吸込口２２ａから排気口２２ｃへの換気風路が形成されるので、吸込口２２ａから吸い込まれた空気は、換気風路及び排気口２２ｃを通り、屋外へ排気される。
【００４０】
これにより、風路切替ダンパ２３を換気位置として、ファンモータ２０Ｍが駆動されると、浴室内の湯気や湿気が排気される。
【００４１】
風路切替ダンパ２３の位置が図１に二点鎖線で示す循環換気位置であると、吸込口２２ａから吹出口２２ｂへの循環風路と、吸込口２２ａから排気口２２ｃへの換気風路の双方が形成されるので、吸込口２２ａから吸い込まれた空気は、一部は循環風路を通り吹出口２２ｂからフロントパネル５の吹出口グリル５０ｂを介して浴室内に吹き出される。また、吸込口２２ａから吸い込まれた空気の残部は、換気風路及び排気口２２ｃを通り、屋外へ排気される。
【００４２】
これにより、風路切替ダンパ２３を循環換気位置として、ファンモータ２０Ｍが駆動されると、ヒータ２０Ｈに非通電の場合は、浴室内の空気を循環させながら、浴室内の湯気や湿気が排気される。
【００４３】
一方、ヒータ２０Ｈに通電した場合は、浴室内の空気を循環させて浴室内に温風を吹き出しながら、浴室内の湯気や湿気が排気される。
【００４４】
＜第１の実施の形態の浴室換気乾燥暖房機の作用効果例＞
第１の実施の形態の浴室換気乾燥暖房機１Ａは、天井パネル１００に取り付けられると、本体部２を覆う不燃ケース３が、天井パネル１００に形成された開口部１０２から天井裏に突出する形態である。これにより、浴室の天井裏には、樹脂材料で構成される本体部２は直接露出しない。
【００４５】
第１の実施の形態の浴室換気乾燥暖房機１Ａが設置された建物で万一火災が発生した場合を想定する。火が浴室の天井裏に延焼しても、浴室換気乾燥暖房機１Ａは、本体部２の天井裏に突出する部位が金属の不燃ケース３で覆われているので、樹脂材料で構成される本体シャーシ２１が直接火に晒されることがなく、本体シャーシ２１の発火が防止される。
【００４６】
また、天井パネル１００に取り付けられるフランジ部２４の上面で、天井パネル１００の開口部１０２に露出する部分に、全周にわたってアルミテープ２７が貼り付けられる構成とすれば、樹脂材料で構成される本体シャーシ２１のフランジ部２４からの発火が防止される。
【００４７】
一般的に樹脂材料は、直接火に晒されなくても、材質等に起因する所定の温度以上になると自己発火する可能性がある。樹脂材料で構成される本体シャーシ２１に、不燃ケース３の外部から熱が加わったとき、本体シャーシ２１の温度が所定の自己発火温度に到達するまでに要する時間を自己発火時間と称す。
【００４８】
図２は、不燃ケースと本体シャーシとの間の空間距離と自己発火時間の関係を示すグラフである。不燃ケースと本体シャーシとの間の空間距離が小さいと、不燃ケースの外部から熱が加わったときに、本体シャーシに熱が伝達されやすく、本体シャーシが自己発火に至るまでに要する時間が短くなる。
【００４９】
一方、不燃ケースと本体シャーシとの間の空間距離が大きいと、不燃ケースの外部から熱が加わったときに、不燃ケースと本体シャーシとの間の空間で空気の対流が発生し、空気の対流で熱が伝達されやすくなって、やはり、本体シャーシが自己発火に至るまでに要する時間が短くなる。
【００５０】
第１の実施の形態の浴室換気乾燥暖房機１Ａにおいて、不燃ケース３と本体シャーシ２１との間に形成される対流抑制空間２８は、不燃ケース３の外部から熱が加わったときに、本体シャーシ２１に対する熱の伝達が抑えられるように、所定の下限距離以上の間隔を有している。
【００５１】
また、対流抑制空間２８は、不燃ケース３の外部から熱が加わったときに、不燃ケース３と本体シャーシ２１との間における空気の対流の発生が抑えられるように、所定の上限距離以下の間隔を有している。
【００５２】
これにより、不燃ケース３の外部から熱が加わったときに、本体シャーシ２１の温度上昇を抑えて、本体シャーシ２１が自己発火に至る温度になるまでの時間を長くしている。従って、本体シャーシ２１が自己発火に至るまでに要する時間が長くなる。
【００５３】
さて、建物で火災が発生して、火が浴室の天井裏に延焼した場合に、天井パネル１００に設置された浴室換気乾燥暖房機１Ａには、天井裏から熱が加わることで、本体シャーシ２１のフランジ部２４を天井パネル１００に固定するネジ１０１が加熱される。
【００５４】
浴室換気乾燥暖房機１Ａは、フランジ部２４を天井パネル１００に固定するネジ１０１に外部から伝達される熱で、フランジ部２４においてネジ１０１が接触する部位を溶かすことで、ネジ１０１からフランジ部２４が抜けるようにして、設置場所である天井パネル１００から浴室換気乾燥暖房機１Ａが分離できる構成である。
【００５５】
浴室換気乾燥暖房機１Ａに天井裏から熱が加わったときに、本体シャーシ２１が所定の自己発火温度に達する前に、浴室換気乾燥暖房機１Ａを天井パネル１００から分離できれば、浴室換気乾燥暖房機１Ａが火から離れて本体シャーシ２１に熱が加わらなくなるので、本体シャーシ２１は自己発火しない。
【００５６】
このため、浴室換気乾燥暖房機１Ａに天井裏から加えられる熱で、浴室換気乾燥暖房機１Ａが天井パネル１００から分離するために要する時間より、本体シャーシ２１が自己発火に至る時間を長くすれば、本体シャーシ２１は自己発火しないことになる。
【００５７】
浴室換気乾燥暖房機１Ａに天井裏から加えられる熱で、浴室換気乾燥暖房機１Ａが天井パネル１００から分離するために要する時間は、６分程度とすることができた。従って、本体シャーシ２１が自己発火に至るまでの時間を６分以上にできれば、本体シャーシ２１の自己発火を防止できることになる。
【００５８】
一方、浴室換気乾燥暖房機１Ａは、複数本のネジ１０１で天井パネル１００に固定されるため、浴室換気乾燥暖房機１Ａに対して偏った範囲から熱が加えられ、各ネジ１０１によるフランジ部２４の固定位置に均一に熱が伝わらない場合、浴室換気乾燥暖房機１Ａが天井パネル１００から分離するために要する時間が、想定した時間より長くなる場合がある。
【００５９】
そこで、外部からの熱による浴室換気乾燥暖房機１Ａの天井パネル１００からの分離時間の遅延分を考慮して、本体シャーシ２１が自己発火に至るまでの時間を例えば８分以上にできれば、本体シャーシ２１の自己発火を確実に防止できる。
【００６０】
図２のグラフに示すように、不燃ケース３と本体シャーシ２１との間に形成される空間の距離の大小によって、本体シャーシ２１が自己発火に至るまでの時間が変化することがわかる。
【００６１】
本例では、浴室換気乾燥暖房機１Ａに天井裏から熱が加わったときに、本体シャーシ２１が自己発火に至るまでの時間が約８分以上となるように、対流抑制空間２８の下限距離と上限距離が決定される。図２のグラフから、対流抑制空間２８を約６ｍｍ〜約１５ｍｍに設定すれば、本体シャーシ２１が自己発火に至るまでの時間を約８分以上にすることができる。
【００６２】
これにより、対流抑制空間２８を上述した値に設定すれば、天井裏からの熱による浴室換気乾燥暖房機１Ａの天井パネル１００からの分離想定時間に対して、本体シャーシ２１が所定の自己発火温度に達する時間を例えば２分以上長くすることができる。
【００６３】
従って、浴室換気乾燥暖房機１Ａに対して偏った範囲から熱が加えられるような場合であっても、本体シャーシ２１が所定の自己発火温度に達する前に、浴室換気乾燥暖房機１Ａを天井パネル１００から分離でき、外部からの熱による本体シャーシ２１の自己発火を確実に防止できる。
【００６４】
＜第２の実施の形態の浴室換気乾燥暖房機の構成例＞
図３は、第２の実施の形態の浴室換気乾燥暖房機の一例を示す断面図である。以下の説明では、第１の実施の形態の浴室換気乾燥暖房機１Ａと同等の構成については、同じ番号を付して説明を省略する。
【００６５】
第２の実施の形態の浴室換気乾燥暖房機１Ｂは、本体部２を構成する本体シャーシ２１と、本体シャーシ２１を覆う不燃ケース３との間に、送風空間２９が形成される。また、不燃ケース３自体、不燃ケース３の内側、あるいは本体シャーシ２１自体の温度を検知する温度検知センサ３１を備える。更に、ファン２０Ｆが回転駆動されることで発生する送風Ｗ１を、送風空間２９を通すか否かを切り替える送風切替ダンパ３２を備える。
【００６６】
温度検知センサ３１は温度検知手段の一例で、本例では不燃ケース３の内側に取り付けられる。送風切替ダンパ３２は送風切替手段の一例で、本体シャーシ２１のファンケース部２１ａに形成された吹出口２１ｂに開閉可能に設けられ、後述するモータ等に駆動されて作動する。
【００６７】
送風切替ダンパ３２で吹出口２１ｂを閉じた状態では、ファン２０Ｆが回転駆動されると、上述したように、フロントパネル５の吸込口グリル５０ａから吸い込まれた浴室内の空気が、風路切替ダンパ２３の位置に応じて、浴室内に循環または屋外に排気される。
【００６８】
これに対して、送風切替ダンパ３２で吹出口２１ｂを開くと、フロントパネル５の吸込口グリル５０ａから吸い込まれた浴室内の空気の一部が、ファンケース部２１ａから送風空間２９に吹き出される。送風空間２９に吹き出された送風Ｗ１は、送風空間２９を通り、不燃ケース３に形成された排気口３３から機外へ排出される。なお、排気口３３は、不燃ケース３の外からは空気が入りにくいように、下向きに開口している。
【００６９】
図４は、第２の実施の形態の浴室換気乾燥暖房機の制御系の一例を示す機能ブロック図である。第２の実施の形態の浴室換気乾燥暖房機１Ｂは、操作部５０の操作で選択される動作モードに従い、ファンモータ２０Ｍ、ヒータ２０Ｈ及び風路切替ダンパ２３を駆動するダンパモータ５１を制御する制御部５２を備える。
【００７０】
制御部５２は制御手段の一例で、温度検知センサ３１で検知される不燃ケース３及び本体シャーシ２１等の温度に基づき、送風切替ダンパ３２を駆動するダンパモータ５３を制御する。すなわち、制御部５２は、温度検知センサ３１で検知される不燃ケース３及び本体シャーシ２１等の温度が、所定の上限温度に達したと判断すると、ダンパモータ５３を制御して、送風切替ダンパ３２を開く。また、ファンモータ２０Ｍを駆動しているときは、ファンモータ２０Ｍの駆動を継続し、ファンモータ２０Ｍが停止しているときは、ファンモータ２０Ｍを駆動する。
【００７１】
＜第２の実施の形態の浴室換気乾燥暖房機の作用効果例＞
図５は、第２の実施の形態の浴室換気乾燥暖房機の動作例を示すフローチャートである。第２の実施の形態の浴室換気乾燥暖房機１Ｂでは、図５のステップＳＡ１において、ユーザ等による操作部５０の操作で選択される動作モードに従い、制御部５２は、ファンモータ２０Ｍ、ヒータ２０Ｈ及びダンパモータ５１を制御して、浴室内の空気を循環させて温風を吹き出す暖房運転モードを実行する。
【００７２】
また、選択された動作モードに従い、浴室内の空気を排気する換気運転モード、浴室内の空気を循環させて温風を吹き出しながら、一部を排気する乾燥運転モード、浴室内の空気を循環させながら、一部を排気する涼風運転モード等を実行する。更に、操作部５０の操作で運転停止が選択されると、ファンモータ２０Ｍ及びヒータ２０Ｈの駆動を停止して、運転を停止する。
【００７３】
制御部５２は、ステップＳＡ２において、浴室換気乾燥暖房機１Ｂの運転中及び運転停止中に、温度検知センサ３１の出力から、不燃ケース３及び本体シャーシ２１等の温度を検知する。
【００７４】
浴室換気乾燥暖房機１Ｂが設置された建物で万一火災が発生して、火が浴室の天井裏に延焼した場合でも、浴室換気乾燥暖房機１Ｂは、本体部２の天井裏に突出する部位が金属の不燃ケース３で覆われているので、樹脂材料で構成される本体シャーシ２１が直接火に晒されることがなく、本体シャーシ２１の発火が防止される。
【００７５】
一方、天井裏からの熱で不燃ケース３が加熱され、不燃ケース３、不燃ケース３の内側の本体シャーシ２１及び不燃ケース３と本体シャーシ２１との間の送風空間２９等の温度が上昇する。
【００７６】
そして、ステップＳＡ３において、温度検知センサ３１で検知される不燃ケース３及び本体シャーシ２１等の温度が、所定の上限温度に達したと判断すると、ステップＳＡ４において、運転中でファンモータ２０Ｍを駆動しているときは、ファンモータ２０Ｍの駆動を継続し、運転停止中でファンモータ２０Ｍが停止しているときは、ファンモータ２０Ｍを駆動する。また、ステップＳＡ５において、ダンパモータ５３を制御して、送風切替ダンパ３２を開く。
【００７７】
送風切替ダンパ３２で吹出口２１ｂを開いて、ファン２０Ｆが回転駆動されると、フロントパネル５の吸込口グリル５０ａから吸い込まれた浴室内の空気の一部が、ファンケース部２１ａから送風空間２９に吹き出される。送風空間２９に吹き出された送風Ｗ１は、送風空間２９を通り、排気口３３から機外へ排出される。
【００７８】
これにより、不燃ケース３及び本体シャーシ２１が、送風空間２９を通る送風Ｗ１で冷却される。本体シャーシ２１が冷却されることで、本体シャーシ２１が所定の自己発火温度に達することを抑えることができる。また、万一延焼が続く場合でも、本体シャーシ２１が自己発火温度に達する時間を長くすることができる。従って、本体シャーシ２１が所定の自己発火温度に達する前に、浴室換気乾燥暖房機１Ｂを天井パネル１００から分離でき、外部からの熱による本体シャーシ２１の自己発火を確実に防止できる。
【００７９】
＜第３の実施の形態の浴室換気乾燥暖房機の構成例＞
図６は、第３の実施の形態の浴室換気乾燥暖房機の一例を示す断面図である。以下の説明では、第１の実施の形態の浴室換気乾燥暖房機１Ａ及び第２の実施の形態の浴室換気乾燥暖房機１Ｂと同等の構成については、同じ番号を付して説明を省略する。
【００８０】
第３の実施の形態の浴室換気乾燥暖房機１Ｃは、本体シャーシ２１と不燃ケース３との間に形成される送風空間２９で、送風Ｗ２を発生させる送風機３４を備える。また、本体シャーシ２１のファンケース部２１ａに形成される吸気口２１ｃを開閉する吸気口開閉ダンパ３５を備える。
【００８１】
吸気口開閉ダンパ３５は吸気口開閉手段の一例で、後述するモータ等に駆動されて作動する。吸気口２１ｃは、本例では排気口２２ｃの近くに形成される。吸気口開閉ダンパ３５と送風機３４は、温度検知センサ３１で検知される不燃ケース３、本体シャーシ２１及び送風空間２９等の温度に基づいて制御される。
【００８２】
吸気口開閉ダンパ３５を閉じた状態では、ファン２０Ｆが回転駆動されると、上述したように、フロントパネル５の吸込口グリル５０ａから吸い込まれた浴室内の空気が、風路切替ダンパ２３の位置に応じて、浴室内に循環または屋外に排気される。
【００８３】
これに対して、吸気口開閉ダンパ３５を開くと共に、送風機３４が回転駆動されると、ファンケース部２１ａ内の空気が吸気口２１ｃから送風空間２９に吸い込まれる。送風機３４で送風空間２９に吸い込んだ空気によって発生する送風Ｗ２は、送風空間２９を通り、不燃ケース３に形成された排気口３３から機外へ排出される。
【００８４】
図７は、第３の実施の形態の浴室換気乾燥暖房機の制御系の一例を示す機能ブロック図である。第３の実施の形態の浴室換気乾燥暖房機１Ｃは、操作部５０の操作で選択される動作モードに従い、ファンモータ２０Ｍ、ヒータ２０Ｈ及び風路切替ダンパ２３を駆動するダンパモータ５１を制御する制御部５２を備える。
【００８５】
制御部５２は、温度検知センサ３１で検知される不燃ケース３及び本体シャーシ２１等の温度に基づき、送風機３４を駆動するファンモータ３４Ｍと、吸気口開閉ダンパ３５を駆動するダンパモータ５４を制御する。すなわち、制御部５２は、温度検知センサ３１で検知される不燃ケース３及び本体シャーシ２１等の温度が、所定の上限温度に達したと判断すると、ダンパモータ５４を制御して、吸気口開閉ダンパ３５を開く。また、ファンモータ３４Ｍで送風機３４を駆動する。
【００８６】
＜第３の実施の形態の浴室換気乾燥暖房機の作用効果例＞
図８は、第３の実施の形態の浴室換気乾燥暖房機の動作例を示すフローチャートである。第３の実施の形態の浴室換気乾燥暖房機１Ｃでは、図８のステップＳＢ１において、ユーザ等による操作部５０の操作で選択される動作モードに従い、制御部５２は、ファンモータ２０Ｍ、ヒータ２０Ｈ及びダンパモータ５１を制御して、浴室内の空気を循環させて温風を吹き出す暖房運転モードを実行する。
【００８７】
また、選択された動作モードに従い、浴室内の空気を排気する換気運転モード、浴室内の空気を循環させて温風を吹き出しながら、一部を排気する乾燥運転モード、浴室内の空気を循環させながら、一部を排気する涼風運転モード等を実行する。更に、操作部５０の操作で運転停止が選択されると、ファンモータ２０Ｍ及びヒータ２０Ｈの駆動を停止して、運転を停止する。
【００８８】
制御部５２は、ステップＳＢ２において、浴室換気乾燥暖房機１Ｃの運転中及び運転停止中に、温度検知センサ３１の出力から、不燃ケース３及び本体シャーシ２１等の温度を検知する。
【００８９】
浴室換気乾燥暖房機１Ｃが設置された建物で万一火災が発生して、火が浴室の天井裏に延焼した場合でも、浴室換気乾燥暖房機１Ｃは、本体部２の天井裏に突出する部位が金属の不燃ケース３で覆われているので、樹脂材料で構成される本体シャーシ２１が直接火に晒されることがなく、本体シャーシ２１の発火が防止される。
【００９０】
一方、天井裏からの熱で不燃ケース３が加熱され、不燃ケース３、不燃ケース３の内側の本体シャーシ２１及び不燃ケース３と本体シャーシ２１との間の送風空間２９等の温度が上昇する。
【００９１】
そして、ステップＳＢ３において、温度検知センサ３１で検知される不燃ケース３及び本体シャーシ２１等の温度が、所定の上限温度に達したと判断すると、ステップＳＢ４においてダンパモータ５４を制御して、吸気口開閉ダンパ３５を開く。また、ステップＳＢ５において、ファンモータ３４Ｍを駆動する。なお、ファンモータ２０Ｍを駆動しているときは、ファンモータ２０Ｍの駆動は停止し、ダンパモータ５１を駆動して、風路切替ダンパ２３を循環位置に移動させる。
【００９２】
風路切替ダンパ２３を循環位置にすると共に、吸気口開閉ダンパ３５を開いて、送風機３４が回転駆動されると、屋外とつながる排気口２２ｃを通り、ファンケース部２１ａ内の空気が吸気口２１ｃから送風空間２９に吸い込まれる。送風機３４で送風空間２９に吸い込んだ空気によって発生する送風Ｗ２は、送風空間２９を通り、排気口３３から機外へ排出される。
【００９３】
これにより、不燃ケース３及び本体シャーシ２１が、送風空間２９を通る送風Ｗ２で冷却される。本体シャーシ２１が冷却されることで、本体シャーシ２１が所定の自己発火温度に達することを抑えることができる。また、万一延焼が続く場合でも、本体シャーシ２１が自己発火温度に達する時間を長くすることができる。従って、本体シャーシ２１が所定の自己発火温度に達する前に、浴室換気乾燥暖房機１Ｃを天井パネル１００から分離でき、外部からの熱による本体シャーシ２１の自己発火を確実に防止できる。
【００９４】
なお、温度検知センサ３１で検知される不燃ケース３及び本体シャーシ２１等の温度が、所定の上限温度に達したと判断すると、ファンモータ２０Ｍを駆動すると共に、風路切替ダンパ２３を換気位置に移動させ、フロントパネル５の吸込口グリル５０ａから吸い込まれた浴室内の空気の一部が、吸気口２１ｃから送風空間２９に吸い込まれるようにしても良い。
【００９５】
＜第４の実施の形態の浴室換気乾燥暖房機の構成例＞
図９は、第４の実施の形態の浴室換気乾燥暖房機の一例を示す断面図である。以下の説明では、第１の実施の形態の浴室換気乾燥暖房機１Ａ及び第３の実施の形態の浴室換気乾燥暖房機１Ｃと同等の構成については、同じ番号を付して説明を省略する。
【００９６】
第４の実施の形態の浴室換気乾燥暖房機１Ｄは、本体シャーシ２１と不燃ケース３との間に形成される送風空間２９で、送風Ｗ３を発生させる送風機３６を備える。また、本体部２に送風空間２９とつながる吸気口３７が形成される。
【００９７】
吸気口３７は、フロントパネル５の吸込口グリル５０ａとつながる位置の本体シャーシ２１に開口を設けて形成される。送風機３６は、電源が入れられると常時駆動される。
【００９８】
送風機３６が回転駆動されると、フロントパネル５の吸込口グリル５０ａを通して浴室内の空気が吸気口３７から送風空間２９に吸い込まれる。送風機３６で送風空間２９に吸い込んだ空気によって発生する送風Ｗ３は、送風空間２９を通り、不燃ケース３に形成された排気口３３から機外へ排出される。
【００９９】
＜第４の実施の形態の浴室換気乾燥暖房機の作用効果例＞
浴室換気乾燥暖房機１Ｄが設置された建物で万一火災が発生して、火が浴室の天井裏に延焼した場合でも、浴室換気乾燥暖房機１Ｄは、本体部２の天井裏に突出する部位が金属の不燃ケース３で覆われているので、樹脂材料で構成される本体シャーシ２１が直接火に晒されることがなく、本体シャーシ２１の発火が防止される。
【０１００】
また、送風機３６が常時駆動されており、フロントパネル５の吸込口グリル５０ａを通して浴室内の空気が吸気口３７から送風空間２９に吸い込まれ、送風機３６で送風空間２９に吸い込んだ空気によって発生する送風Ｗ３は、送風空間２９を通り排気口３３から機外へ排出される。
【０１０１】
これにより、不燃ケース３及び本体シャーシ２１が、送風空間２９を通る送風Ｗ３で常時冷却され、温度上昇が抑えられる。本体シャーシ２１が常時冷却されることで、本体シャーシ２１が所定の自己発火温度に達することを抑えることができる。また、万一延焼が続く場合でも、本体シャーシ２１が自己発火温度に達する時間を長くすることができる。従って、本体シャーシ２１が所定の自己発火温度に達する前に、浴室換気乾燥暖房機１Ｄを天井パネル１００から分離でき、外部からの熱による本体シャーシ２１の自己発火を確実に防止できる。
【産業上の利用可能性】
【０１０２】
本発明は、熱源を有した空調装置等の設備機器に適用される。
【図面の簡単な説明】
【０１０３】
【図１】第１の実施の形態の浴室換気乾燥暖房機の一例を示す断面図である。
【図２】不燃ケースと本体シャーシとの間の空間距離と自己発火時間の関係を示すグラフである。
【図３】第２の実施の形態の浴室換気乾燥暖房機の一例を示す断面図である。
【図４】第２の実施の形態の浴室換気乾燥暖房機の制御系の一例を示す機能ブロック図である。
【図５】第２の実施の形態の浴室換気乾燥暖房機の動作例を示すフローチャートである。
【図６】第３の実施の形態の浴室換気乾燥暖房機の一例を示す断面図である。
【図７】第３の実施の形態の浴室換気乾燥暖房機の制御系の一例を示す機能ブロック図である。
【図８】第３の実施の形態の浴室換気乾燥暖房機の動作例を示すフローチャートである。
【図９】第４の実施の形態の浴室換気乾燥暖房機の一例を示す断面図である。
【符号の説明】
【０１０４】
１Ａ，１Ｂ，１Ｃ，１Ｄ・・・浴室換気乾燥暖房機、２・・・本体部、２１・・・本体シャーシ、２１ａ・・・ファンケース部、２１ｂ・・・吹出口、２１ｃ・・・吸気口、２４・・・フランジ部、２８・・・対流抑制空間、２９・・・送風空間、３・・・不燃ケース、３１・・・温度検知センサ、３２・・・送風切替ダンパ、３４・・・送風機、３５・・・吸気口開閉ダンパ、３６・・・送風機、３７・・・吸気口、１００・・・天井パネル
【図１】
2010145040.tif 000003
【図２】
2010145040.tif 000004
【図３】
2010145040.tif 000005
【図４】
2010145040.tif 000006
【図５】
2010145040.tif 000007
【図６】
2010145040.tif 000008
【図７】
2010145040.tif 000009
【図８】
2010145040.tif 000010
【図９】
2010145040.tif 000011